(57)【要約】    【課題】  撮像装置が高温である場合でも画質劣化の少ない画像を得ることを可能にする。    【解決手段】  撮像感度を可変できる撮像装置において、温度センサ１２７で測定された固定撮像素子１５近傍の温度が所定温度より大きい場合、可変できる撮像感度の範囲を制限する。また、単一のレリーズ操作で、撮像感度を段階的に変更して複数回の撮影を行う撮像感度ブラケット撮影において、高温の環境下において使用可能な撮像感度が制限され、設定されるブラケット幅が確保できない場合は、ブラケット基準中心値をシフトする。【選択図】      図１
2005175961.tif 000002
【特許請求の範囲】
【請求項１】
被写体を撮像する撮像手段と、
前記撮像手段の近傍の温度を測定する温度測定手段と、
前記撮像手段での撮像感度を設定する撮像感度設定手段と、
前記温度測定手段による測定結果に基づいて、前記撮像感度設定手段が設定できる撮像感度の範囲を制限する撮像感度制限手段と
を有することを特徴とする撮像装置。
【請求項２】
前記撮像感度制限手段は、前記温度測定手段によって測定された温度が所定値より大きい場合、前記撮像感度設定手段によって設定できる撮像感度の上限値を設定することを特徴とする請求項１記載の撮像装置。
【請求項３】
前記撮像感度制限手段は、前記温度測定手段によって測定された温度が所定温度より大きく、かつ前記撮像感度設定手段によって設定された撮像感度が所定感度以上である場合、該撮像感度設定手段によって設定された撮像感度を低下させる撮像感度変更手段を含むことを特徴とする請求項１記載の撮像装置。
【請求項４】
単一のレリーズ操作で、前記撮像手段での撮像感度を段階的に変更して複数回の撮影を行う撮像感度ブラケット撮影手段と、
前記撮像感度ブラケット撮影手段による撮影における撮像感度の変更量であるブラケット幅を設定するブラケット幅設定手段と、
前記ブラケット幅設定手段によって設定されるブラケット幅で決定される撮像感度ブラケット値が、前記撮像感度制限手段によって制限された撮像感度範囲内に収まらない場合に、該範囲内に収まるように、前記撮像感度設定手段によって設定された撮像感度を変更する撮像感度変更手段と
を更に有することを特徴とする請求項１記載の撮像装置。
【請求項５】
単一のレリーズ操作で、前記撮像手段での撮像感度を段階的に変更して複数回の撮影を行う撮像感度ブラケット撮影手段と、
前記撮像感度ブラケット撮影手段による撮影における撮像感度の変更量であるブラケット幅を設定するブラケット幅設定手段と、
前記温度測定手段によって測定された温度が所定値より大きい場合、前記ブラケット幅設定手段によって設定されるブラケット幅を制限するブラケット幅制限手段と
を更に有することを特徴とする請求項１記載の撮像装置。
【請求項６】
単一のレリーズ操作で、前記撮像手段での撮像感度を段階的に変更して複数回の撮影を行う撮像感度ブラケット撮影手段と、
前記撮像感度ブラケット撮影手段による撮影における撮像感度の変更量であるブラケット幅を設定するブラケット幅設定手段と、
前記ブラケット幅設定手段によって設定されるブラケット幅で決定される撮像感度ブラケット値が、前記撮像感度制限手段によって制限された撮像感度範囲の上限値を超えている場合に、デジタル演算によるゲイン変更により撮像感度補正を行う撮像感度補正手段と
を更に有することを特徴とする請求項１記載の撮像装置。
【請求項７】
単一のレリーズ操作で、前記撮像手段での撮像感度を段階的に変更して複数回の撮影を行う撮像感度ブラケット撮影手段と、
前記撮像感度ブラケット撮影手段による撮影における撮像感度の変更量であるブラケット幅を設定するブラケット幅設定手段と、
前記ブラケット幅設定手段によって設定されるブラケット幅で決定される撮像感度ブラケット値が、前記撮像感度制限手段によって制限された撮像感度範囲の上限値を超えている場合に、前記撮像感度ブラケット値を前記上限値に変更するブラケット値変更手段と
を更に有することを特徴とする請求項１記載の撮像装置。
【請求項８】
前記撮像感度設定手段によって設定された撮像感度が変更されたとき、警告を行う警告手段を、更に有することを特徴とする請求項１記載の撮像装置。
【請求項９】
前記撮像感度設定手段によって設定された撮像感度が変更されたとき、撮像感度以外の露出設定値を再設定する露出値設定手段を、更に有することを特徴とする請求項１記載の撮像装置。
【請求項１０】
前記撮像手段に含まれる固体撮像素子に蓄積される電荷の蓄積時間を制御する方式の電子シャッタ手段と、
被写体光束の前記撮像手段への入射時間を機械的に制御する方式のメカニカルシャッタ手段と、
前記温度測定手段による測定結果に基づいて、前記電子シャッタ手段および前記メカニカルシャッタ手段のうち一方を選択して動作させるシャッタ選択動作手段と
を有することを特徴とする請求項１乃至請求項９のいずれかに記載の撮像装置。
【請求項１１】
前記温度測定手段によって測定された温度が所定温度よりも高く、かつ露光を行うべき露光時間が所定時間よりも短いとき、前記メカニカルシャッタ手段を選択するとともに、前記露光時間が外部から変更された場合、露出設定値を再度演算するシャッタ選択・再演算手段を、更に有することを特徴とする請求項１０記載の撮像装置。
【請求項１２】
被写体を撮像する撮像手段と、
前記撮像手段の近傍の温度を測定する温度測定手段と、
前記撮像手段に含まれる固体撮像素子に蓄積される電荷の蓄積時間を制御する方式の電子シャッタ手段と、
被写体光束の前記撮像手段への入射時間を機械的に制御する方式のメカニカルシャッタ手段と、
前記温度測定手段による測定結果に基づいて、前記電子シャッタ手段および前記メカニカルシャッタ手段のうち一方を選択して動作させるシャッタ選択動作手段と
を有することを特徴とする撮像装置。
【請求項１３】
前記温度測定手段によって測定された温度が所定温度よりも高く、かつ露光を行うべき露光時間が所定時間よりも短いとき、前記メカニカルシャッタ手段を選択するとともに、前記露光時間が外部から変更された場合、露出設定値を再度演算するシャッタ選択・再演算手段を、更に有することを特徴とする請求項１２記載の撮像装置。
【請求項１４】
被写体を撮像する撮像手段と、該撮像手段の近傍の温度を測定する温度測定手段とを備えた撮像装置に適用される撮像感度制御方法において、
前記撮像手段での撮像感度を設定する撮像感度設定ステップと、
前記温度測定手段による測定結果に基づいて、前記撮像感度設定ステップによって設定された撮像感度の範囲を制限する撮像感度制限ステップと
を有することを特徴とする撮像感度制御方法。
【請求項１５】
前記撮像感度制限ステップは、前記温度測定手段によって測定された温度が所定値より大きい場合、前記撮像感度設定ステップによって設定できる撮像感度の上限値を設定することを特徴とする請求項１４記載の撮像感度制御方法。
【請求項１６】
前記撮像感度制限ステップは、前記温度測定手段によって測定された温度が所定温度より大きく、かつ前記撮像感度設定ステップによって設定された撮像感度が所定感度以上である場合、該撮像感度設定ステップによって設定された撮像感度を低下させる撮像感度変更ステップを含むことを特徴とする請求項１４記載の撮像感度制御方法。
【請求項１７】
単一のレリーズ操作で、前記撮像手段での撮像感度を段階的に変更して複数回の撮影を行う撮像感度ブラケット撮影ステップと、
前記撮像感度ブラケット撮影ステップによって行われる撮影における撮像感度の変更量であるブラケット幅を設定するブラケット幅設定ステップと、
前記ブラケット幅設定ステップによって設定されるブラケット幅で決定される撮像感度ブラケット値が、前記撮像感度制限ステップによって制限された撮像感度範囲内に収まらない場合に、該範囲内に収まるように、前記撮像感度設定ステップによって設定された撮像感度を変更する撮像感度変更ステップと
を更に有することを特徴とする請求項１４記載の撮像感度制御方法。
【請求項１８】
単一のレリーズ操作で、前記撮像手段での撮像感度を段階的に変更して複数回の撮影を行う撮像感度ブラケット撮影ステップと、
前記撮像感度ブラケット撮影ステップによって行われる撮影における撮像感度の変更量であるブラケット幅を設定するブラケット幅設定ステップと、
前記温度測定手段によって測定された温度が所定値より大きい場合、前記ブラケット幅設定ステップによって設定されるブラケット幅を制限するブラケット幅制限ステップと
を更に有することを特徴とする請求項１４記載の撮像感度制御方法。
【請求項１９】
単一のレリーズ操作で、前記撮像手段での撮像感度を段階的に変更して複数回の撮影を行う撮像感度ブラケット撮影ステップと、
前記撮像感度ブラケット撮影ステップによって行われる撮影における撮像感度の変更量であるブラケット幅を設定するブラケット幅設定ステップと、
前記ブラケット幅設定ステップによって設定されるブラケット幅で決定される撮像感度ブラケット値が、前記撮像感度制限ステップによって制限された撮像感度範囲の上限値を超えている場合に、デジタル演算によるゲイン変更により撮像感度補正を行う撮像感度補正ステップと
を更に有することを特徴とする請求項１４記載の撮像感度制御方法。
【請求項２０】
単一のレリーズ操作で、前記撮像手段での撮像感度を段階的に変更して複数回の撮影を行う撮像感度ブラケット撮影ステップと、
前記撮像感度ブラケット撮影ステップによって行われる撮影における撮像感度の変更量であるブラケット幅を設定するブラケット幅設定ステップと、
前記ブラケット幅設定ステップによって設定されるブラケット幅で決定される撮像感度ブラケット値が、前記撮像感度制限ステップによって制限された撮像感度範囲の上限値を超えている場合に、前記撮像感度ブラケット値を前記上限値に変更するブラケット値変更ステップと
を更に有することを特徴とする請求項１４記載の撮像感度制御方法。
【請求項２１】
被写体を撮像する撮像手段と、該撮像手段の近傍の温度を測定する温度測定手段と、前記撮像手段に含まれる固体撮像素子に蓄積される電荷の蓄積時間を制御する方式の電子シャッタ手段と、被写体光束の前記撮像手段への入射時間を機械的に制御する方式のメカニカルシャッタ手段とを備えた撮像装置に適用されるシャッタ制御方法において、
前記温度測定手段による測定結果に基づいて、前記電子シャッタ手段および前記メカニカルシャッタ手段のうち一方を選択して動作させるシャッタ選択動作ステップ
を有することを特徴とするシャッタ制御方法。
【請求項２２】
被写体を撮像する撮像手段と、該撮像手段の近傍の温度を測定する温度測定手段とを備えた撮像装置に適用される撮像感度制御方法を、コンピュータに実行させるためのプログラムにおいて、
前記撮像手段での撮像感度を設定する撮像感度設定ステップと、
前記温度測定手段による測定結果に基づいて、前記撮像感度設定ステップによって設定された撮像感度の範囲を制限する撮像感度制限ステップと
を有することを特徴とするプログラム。
【請求項２３】
被写体を撮像する撮像手段と、該撮像手段の近傍の温度を測定する温度測定手段と、前記撮像手段に含まれる固体撮像素子に蓄積される電荷の蓄積時間を制御する方式の電子シャッタ手段と、被写体光束の前記撮像手段への入射時間を機械的に制御する方式のメカニカルシャッタ手段とを備えた撮像装置に適用されるシャッタ制御方法を、コンピュータに実行させるためのプログラムにおいて、
前記温度測定手段による測定結果に基づいて、前記電子シャッタ手段および前記メカニカルシャッタ手段のうち一方を選択して動作させるシャッタ選択動作ステップ
を有することを特徴とするプログラム。
【発明の詳細な説明】
【技術分野】
【０００１】
本発明は、撮像装置、撮像感度制御方法、シャッタ制御方法、及びプログラムに関し、特に、撮像感度を変えることのできる静止画用のデジタル方式の撮像装置、該撮像装置に適用される撮像感度制御方法およびシャッタ制御方法、並びに該撮像感度制御方法およびシャッタ制御方法をコンピュータに実行させるためのプログラムに関する。
【背景技術】
【０００２】
固体撮像素子を用いるデジタル撮像装置において、従来、撮像装置の温度を検出し、検出された温度が所定範囲以外の場合に、撮像素子による撮影を禁止するようにした装置がある（例えば、特許文献１参照）。ここでは、撮像装置が高温の場合、撮影された画像にノイズ成分が多く含まれ、画質が劣化してしまうので、これを回避するようにしている。
【０００３】
また、従来、電子シャッタとメカニカルシャッタの両方を備えた撮像装置において、必要とされる露光時間が比較的短い場合は電子シャッタを、必要とされる露光時間が比較的長い場合はメカニカルシャッタを使用する撮像装置が提案されている（例えば、特許文献２参照）。
【特許文献１】特開２０００−３４７２８４号公報
【特許文献２】特開２００２−１７６５８８号公報
【発明の開示】
【発明が解決しようとする課題】
【０００４】
しかしながら、特許文献１で示される上記従来の撮像装置においては、高温の場合に撮影を一律に停止してしまうため、撮影チャンスを逃してしまうという不具合があり、一方、撮像装置が高温であるときでも撮像感度を低下させれば、画質の劣化なしに撮影することが可能である場合もあるので、撮像装置が高温であるときでも、画質の劣化なしに撮影を行える撮像装置が求められていた。
【０００５】
なお、同一のシャッタスピードおよび絞り値のままで、撮像感度だけを段階的に変換させて複数回の撮影を行うＩＳＯブラケット撮影モードというものが知られているが、このＩＳＯブラケット撮影モードによって撮像感度が高感度に設定された撮影が行われたときに、撮像装置が高温であると、ノイズによって画質が劣化するという問題があった。
【０００６】
また、特許文献２で示される電子シャッタとメカニカルシャッタとを使い分ける上記従来の撮像装置において、高温時において、画質の劣化なしに、電子シャッタとメカニカルシャッタとを使い分ける方法が求められていた。
【０００７】
本発明はこのような問題点に鑑みてなされたものであって、撮像装置が高温である場合でも画質劣化の少ない画像を得ることを可能とした撮像装置、撮像感度制御方法、シャッタ制御方法、及びプログラムを提供することを目的とする。
【課題を解決するための手段】
【０００８】
上記目的を達成するために、請求項１記載の発明によれば、被写体を撮像する撮像手段と、前記撮像手段の近傍の温度を測定する温度測定手段と、前記撮像手段での撮像感度を設定する撮像感度設定手段と、前記温度測定手段による測定結果に基づいて、前記撮像感度設定手段が設定できる撮像感度の範囲を制限する撮像感度制限手段とを有することを特徴とする撮像装置が提供される。
【０００９】
また、請求項１２記載の発明によれば、被写体を撮像する撮像手段と、前記撮像手段の近傍の温度を測定する温度測定手段と、前記撮像手段に含まれる固体撮像素子に蓄積される電荷の蓄積時間を制御する方式の電子シャッタ手段と、被写体光束の前記撮像手段への入射時間を機械的に制御する方式のメカニカルシャッタ手段と、前記温度測定手段による測定結果に基づいて、前記電子シャッタ手段および前記メカニカルシャッタ手段のうち一方を選択して動作させるシャッタ選択動作手段とを有することを特徴とする撮像装置が提供される。
【００１０】
また、請求項１４記載の発明によれば、被写体を撮像する撮像手段と、該撮像手段の近傍の温度を測定する温度測定手段とを備えた撮像装置に適用される撮像感度制御方法において、前記撮像手段での撮像感度を設定する撮像感度設定ステップと、前記温度測定手段による測定結果に基づいて、前記撮像感度設定ステップによって設定された撮像感度の範囲を制限する撮像感度制限ステップとを有することを特徴とする撮像感度制御方法が提供される。
【００１１】
また、請求項２１記載の発明によれば、被写体を撮像する撮像手段と、該撮像手段の近傍の温度を測定する温度測定手段と、前記撮像手段に含まれる固体撮像素子に蓄積される電荷の蓄積時間を制御する方式の電子シャッタ手段と、被写体光束の前記撮像手段への入射時間を機械的に制御する方式のメカニカルシャッタ手段とを備えた撮像装置に適用されるシャッタ制御方法において、前記温度測定手段による測定結果に基づいて、前記電子シャッタ手段および前記メカニカルシャッタ手段のうち一方を選択して動作させるシャッタ選択動作ステップを有することを特徴とするシャッタ制御方法が提供される。
【００１２】
さらに、上記撮像感度制御方法およびシャッタ制御方法をコンピュータに実行させるためのプログラムが提供される。
【発明の効果】
【００１３】
本発明によれば、撮像感度を可変できる撮像装置において、温度測定手段で測定された固定撮像素子近傍の温度が所定温度より大きい場合、可変できる撮像感度の範囲を制限する。これにより、撮像装置が高温である場合でも画質劣化の少ない画像を得ることが可能となる。
【００１４】
また、単一のレリーズ操作で、撮像感度を段階的に変更して複数回の撮影を行う撮像感度ブラケット撮影において、高温の環境下において使用可能な撮像感度が制限され、設定されるブラケット幅が確保できない場合は、ブラケット基準中心値をシフトする。これにより、撮影者の意図した段階露出幅を有する、画像ノイズの少ない複数の画像を得ることができる。
【００１５】
なお、上記の設定されるブラケット幅を制限するようにしても、同様の効果を得ることができる。
【００１６】
なおまた、上記ブラケット幅により決定された高感度側のブラケット値が、使用可能な撮像感度範囲の上限値を超えている場合に、デジタル演算によって撮像感度を補正するようにしても、同様の効果を得ることができる。
【００１７】
また、上記ブラケット幅により決定された高感度側のブラケット値が、使用可能な撮像感度範囲の上限値を超えている場合に、高感度側のブラケット値を、該上限値に変更するようにしても、同様の効果を得ることができる。
【００１８】
さらに、撮像装置が電子シャッタ手段とメカニカルシャッタ手段とを備え、前記温度測定手段の測定結果に応じて、電子シャッタ手段およびメカニカルシャッタ手段のどちらか一方を選択して動作させる。具体的には、高温時にはメカニカルシャッタ手段を使用することで、撮像前に転送路に溜まったスミア成分を吐き出すことができるようにして、撮像ノイズの多い画像を撮影することを防止することができる。
【００１９】
また、撮像感度が変更されたとき警告を行うことで、撮影者に変更を告知することができる。
【００２０】
また、撮像感度が変更されたとき、シャッタ秒時、絞り値などの露出パラメータを再度演算して設定するようにする。これによって、意図した露出の画像を得ることができる。
【発明を実施するための最良の形態】
【００２１】
以下、本発明を実施するための最良の形態について、図面を参照して説明する。
【００２２】
図２は、本発明の一実施の形態における撮像装置の構成を示す側断面図である。本撮像装置は一眼レフタイプのデジタルカメラである。
【００２３】
図２において１は撮像装置本体、２は、被写体像を結像面に結像させる撮影レンズである。撮影レンズ２は、撮像装置本体１に着脱自在であり、不図示の本体マウントを介して交換可能である。この撮影レンズ２は、被写体像を結像面に結像させるための結像レンズ３及び該結像レンズ３を駆動するためのレンズ駆動装置４を有し、また、露出制御を行うための絞り羽根群５及び該絞り羽根群５を駆動するための絞り駆動装置６を有している。
【００２４】
なお、結像レンズ３は、図２においては簡略化して図示するが、１枚または複数枚のレンズで構成され、単一の焦点距離（固定焦点）のレンズでもよいし、ズームレンズやステップズームレンズ等のように焦点距離可変のレンズでもよい。
【００２５】
また、図２において、７はメインミラーで、撮影レンズ２により結像される被写体像を、後述するフォーカシングスクリーン８に導くと共に、その一部を透過させ、後述するサブミラー１２を通して後述する焦点検出装置１３へ導くためのミラーである。このメインミラー７は、不図示のミラー駆動装置により、ファインダにて被写体像を観察可能な位置と、撮影時に被写体光束の光路から退避した退避位置とに択一的に移動自在に構成されている。
【００２６】
８はフォーカシングスクリーンであり、撮影レンズ２により導かれた被写体光束がメインミラー７にて反射されてフォーカシングスクリーン８に結像される。ファインダから観察される被写体像は、該フォーカシングスクリーン８に形成されている被写体像である。９は光学部材であり、フォーカシングスクリーン８に結像された被写体像を正立正像に変換反射するものであり、本実施の形態においては、ペンタダハプリズムから構成される。１０は接眼レンズ装置であり、光学部材９にて正立正像に変換反射された被写体像を撮影者の目に到達させるものである。
【００２７】
１１は測光装置であり、ファインダ観察時にフォーカシングスクリーン８に結像された被写体像の輝度を、光学部材９を介して測定するものであり、本実施の形態に係る撮像装置では、測光装置１１の出力信号に基づいて露光時の露出制御を行うようになっている。
【００２８】
１２はサブミラーであり、メインミラー７を一部透過した被写体光を反射させて、不図示のミラーボックス下面に配置された後述する焦点検出装置１３へ被写体光を導くためのミラーである。このサブミラー１２は、メインミラー７または該メインミラー７を駆動する不図示のミラー駆動装置と連動し、ファインダ観察時には被写体光を焦点検出装置１３へ導く導き位置に、また、撮影時には被写体光束の光路から退避した退避位置に移動自在に構成されている。
【００２９】
１３は焦点検出装置であり、該焦点検出装置１３の出力信号に基づいて撮影レンズ２のレンズ駆動装置４が制御され、結像レンズ３にて焦点調節を行う。１４はメカニカルシャッタ装置であり、被写体光束の結像面への入射時間を機械的に制御するものである。このメカニカルシャッタ装置１４は、ファインダ観察時には被写体光束を遮光し且つ撮影時にはレリーズ信号に応じて被写体光束の光路から退避して露光を開始させる先羽根群１４ａと、ファインダ観察時には被写体光束の光路から退避し且つ撮影時には先羽根群１４ａの走行（駆動）開始後に所定のタイミングで被写体光束を遮光する後羽根群１４ｂとを有するフォーカルプレーンシャッタである。
【００３０】
１５は固体撮像素子であり、撮影レンズ２により結像された被写体像を撮像して電気信号に変換するものである。この固体撮像素子１５としては、公知の２次元型撮像デバイスが用いられている。この撮像デバイスには、ＣＣＤ型、ＭＯＳ型、ＣＩＤ型等、様々な形態があり、いずれの形態の撮像デバイスを採用してもよいが、本実施の形態においては、複数の光電変換素子（フォトセンサ）が２次元的に配置され、各フォトセンサで蓄積された信号電荷が垂直転送路（垂直転送ＣＣＤ）及び水平転送路を介して出力されるインターライン型ＣＣＤ（電荷結合素子）の撮像素子が採用される。また、固体撮像素子１５は、各フォトセンサに蓄積される電荷の蓄積時間（シャッタ秒時）を制御する、いわゆる電子シャッタ機能を有している。１６は電気基板であり、固体撮像素子１５と電気的且つ機械的に結合して、これらを保持するものである。
【００３１】
図３は、本撮像装置の外観上面図、図４は、本撮像装置の外観背面図である。
【００３２】
図３および図４において、１１２はＡＥ（自動露出）ロックボタン、１１３はＡＦ（オートフォーカス）の測距点選択ボタンである。１４０は、撮影条件等を表示する外部表示機能を備えた外部液晶表示装置である。
【００３３】
１１４は撮影操作をするためのレリーズボタンであり、第１ストロークでスイッチＳＷ１がＯＮし、第２ストロークでスイッチＳＷ２がＯＮする構成となっている。
【００３４】
１１５はメイン電子ダイヤルであり、例えば９０°位相のずれた２ビットの信号を後述のスイッチセンス回路１２５に送ることにより、スイッチセンス回路１２５でメイン電子ダイヤル１１５の回転方向と回転クリック数とが検出される。この回転方向と回転クリック数とにより、他の操作ＳＷと併用して、撮像装置に数値を入力したり、撮影モードを切り換えたりする。
【００３５】
１１７は撮影モード選択ＳＷ、１１８はＡＦモード選択ＳＷ、１１９は測光モード選択ＳＷである。
【００３６】
なお、撮影モード選択ＳＷ１１７を押しながらメイン電子ダイヤル１１５を回転させると、Ｔｖ優先（シャッタ優先）→Ａｖ優先（絞り優先）→マニュアル→プログラム→Ｔｖ優先→Ａｖ優先→マニュアル→プログラム…とモードが変更され、撮影者の意図するモードに設定することができる。なお、メイン電子ダイヤル１１５を逆回転させた時は、プログラム→マニュアル→Ａｖ優先→Ｔｖ優先→プログラム→…とモードが変更される。
【００３７】
また、撮影モード選択ＳＷ１１７とメイン電子ダイヤル１１５とによりＴｖ優先モードが設定されている場合には、メイン電子ダイヤル１１５を回転させることにより撮影者の希望するＴｖ値（シャッタスピード、露出時間）を設定することができる。
【００３８】
また、撮影モード選択ＳＷ１１７とメイン電子ダイヤル１１５とによりＡｖ優先モードが設定されている場合には、メイン電子ダイヤル１１５を回転させることにより撮影者の希望とするＡｖ値（絞り値）を設定することができる。
【００３９】
１２６は連写モードを設定するドライブモード選択ＳＷであり、測光モード選択ＳＷ１１９を同時に押すことで、ＡＥＢの設定ができるＡＥＢ設定モードが選択される。
【００４０】
１２０は撮影された画像を表示するＬＣＤモニタ装置（液晶表示器）である。本実施の形態によるＬＣＤモニタ装置１２０は透過形であるため、ＬＣＤモニタ装置１２０の駆動だけでは、画像を視認することはできず、必ずその裏面には不図示のバックライト照明装置が必要である。１２１はＬＣＤモニタ装置１２０のバックライト照明装置をオン／オフするためのモニタスイッチである。
【００４１】
１１６は、メイン電子ダイヤル１１５と同様の機能を備えたサブ電子ダイヤルである。撮影モード選択ＳＷ１１７とメイン電子ダイヤル１１５とによりマニュアルモードが設定された時には、サブ電子ダイヤル１１６によって絞り値の入力設定を行い、またプログラムモード（Ｐ）、シャッタ優先モード（Ｔｖ）、絞り優先モード（Ａｖ）が設定された時には、サブ電子ダイヤル１１６によって、測光して得られた適正露出量を変更するための露出補正量の入力設定を行う。
【００４２】
１２２は、サブ電子ダイヤル１１６による入力機能をロックするダイヤルロックスイッチ、１２３は本撮像装置の全ての動作を禁止するメインスイッチである。
【００４３】
１２４は、ＬＣＤモニタ装置１２０に画像を表示する際や、撮像装置の初期設定の際にモードを選択するためのメニューボタンであり、各モードを選択する時は、このメニューボタン１２４を押しながらサブ電子ダイヤル１１６を回転して希望のモードを選択する。希望のモードが選択された時、メニューボタン１２４を離すと選択・設定が完了する。
【００４４】
図１は、本撮像装置の内部構成を示すブロック図である。なお、図１において、図２〜図４に示す各構成部分と同一部分には同一符号を付してある。
【００４５】
図１において、撮像装置は、主として、撮影レンズ２を駆動するレンズ駆動装置４、メカニカルシャッタ装置１４、固体撮像素子１５、アナログ信号処理回路２０、Ａ／Ｄ変換器２２、メイン信号処理回路２４、メモリ２６、Ｄ／Ａ変換器２８、外部表示装置３０、圧縮／解凍回路３２、メモリカード３４、コントロール回路３６及びＣＰＵ（中央演算処理回路）３８等から構成されている。
【００４６】
１２５はスイッチセンス回路であり、各スイッチの操作状態を検出してＣＰＵ３８へ伝える。
【００４７】
スイッチセンス回路１２５には、レリーズボタン１１４の第１ストロークによりオンするスイッチＳＷ（１）１１４ａ、およびレリーズボタン１１４の第２ストロークによりオンするスイッチＳＷ（２）１１４ｂが接続される。スイッチＳＷ（２）１１４ｂがオンされるとレリーズ操作が開始される。
【００４８】
また、スイッチセンス回路１２５には、メイン電子ダイヤル１１５、サブ電子ダイヤル１１６、撮影モード選択ＳＷ１１７、ＡＦモード選択ＳＷ１１８、測光モード選択ＳＷ１１９が接続されていて、スイッチセンス回路１２５は各ダイヤル／ＳＷの状態を検出してＣＰＵ３８へ送信する。
【００４９】
撮影レンズ２を透過してきた被写体光束は、絞り羽根群５とメカニカルシャッタ装置１４とでその光量が規制され、固体撮像素子１５上に投影結像される。このとき、固体撮像素子１５は、コントロール回路３６を介して電荷の蓄積時間が制御される。固体撮像素子１５の受光面に結像された被写体像は、各フォトセンサで光の入射光量に応じた量の信号電荷に変換され、撮像出力信号として順次読み出された後、アナログ信号処理回路２０に供給される。
【００５０】
アナログ信号処理回路２０は、ＣＤＳクランプ回路やゲイン調整回路等を含み、固体撮像素子１５から入力した撮像出力信号（アナログ電気信号）をコントロール回路３６の制御に基づいて適宜処理する。アナログ信号処理回路２０から出力された信号は、Ａ／Ｄ変換器２２によってデジタル信号に変換された後、メイン信号処理回路２４へ送られる。
【００５１】
メイン信号処理回路２４は、ゲイン調整回路４０、オフセット回路４２、ヒストグラム生成回路４６及びデジタル信号処理回路４８等からなる。Ａ／Ｄ変換器２２から出力されたデータ信号は、ゲイン調整回路４０及びオフセット回路４２を経由して、ヒストグラム生成回路４６及びデジタル信号処理回路４８へ送られる。
【００５２】
ヒストグラム生成回路４６は、Ａ／Ｄ変換器２２から送られた１画面分のデータから信号レベルに対する撮像素子信号の積算値の分布を示すヒストグラムを作成する。そして、このヒストグラム演算に基づいてゲイン値やオフセット値が決定され、これがＣＰＵ３８に送られる。ＣＰＵ３８は、送られたゲイン値やオフセット値に基づき、コントロール回路３６を介してゲイン調整回路４０及びオフセット回路４２を制御する。
【００５３】
Ａ／Ｄ変換器２２から出力されたデータ信号は、ゲイン調整回路４０及びオフセット回路４２で、ゲインとオフセットの調整を受けた後、デジタル信号処理回路４８に送られる。デジタル信号処理回路４８は、輝度（Ｙ）信号生成回路及び色差（Ｃ）信号生成回路を含み、オフセット回路４２から入力した信号をＹ／Ｃ信号処理する。そして、デジタル信号処理回路４８でＹ／Ｃ信号処理された画像データは、メモリ２６に一時記憶される。
【００５４】
このメモリ２６に記憶された画像データはデコードされた後、Ｄ／Ａ変換器２８でアナログ信号に変換され、ＬＣＤモニタ装置１２０に供給される。こうして、ＬＣＤモニタ装置１２０には、固体撮像素子１５で捉えた映像が表示される。このＬＣＤモニタ装置１２０には、レリーズボタン１１４の押圧等によって発せられる撮影開始信号に基づいて撮影した静止画が表示される。
【００５５】
なお、Ｄ／Ａ変換器２８でアナログ信号に変換された信号は、ビデオ出力端子５０から映像出力信号として出力される。
【００５６】
また、撮影開始信号の入力に呼応して取得した本撮像の画像データは、メモリ２６から圧縮／解凍回路３２に導かれ、ここで所定の画像圧縮形式（例えば、ＪＰＥＧ）に従って圧縮処理された後、可搬の記録媒体としてのメモリカード３４に記録される。
【００５７】
なお、可搬の記録媒体は、メモリカードの他、スマートメディアやＩＣカード等であってもよい。
【００５８】
メモリカード３４に記録された画像データは、ＣＰＵ３８を介して読み出しが可能であり、メモリカード３４から読み出された画像データは、圧縮／解凍回路３２で解凍再生処理された後、メモリ２６、Ｄ／Ａ変換器２８を介してＬＣＤモニタ装置１２０に出力され、または、ビデオ出力端子５０に出力され、他の外部機器に供給可能である。
【００５９】
ＣＰＵ３８は、測光装置１１、焦点検出装置１３、コントロール回路３６、ヒストグラム生成回路４６、デジタル信号処理回路４８、メモリ２６及びメモリカード３４、スイッチセンス回路１２５等と接続されており、所定のアルゴリズムに従って露出値、撮影レンズ２の焦点位置等の各種演算を行い、自動露光制御、オートフォーカス、オートストロボ、オートホワイトバランス等の制御を総括的に管理する。また、ＣＰＵ３８は、レリーズボタン１１４やメイン電子ダイヤル１１５，サブ電子ダイヤル１１６，撮影モード選択ＳＷ１１７、ＡＦモード選択ＳＷ１１８、測光モード選択ＳＷ１１９等の操作部から入力される各種信号に基づいて該当する回路を制御する。
【００６０】
測光装置１１の出力信号はＣＰＵ３８に送られ、ＣＰＵ３８は露出制御値を算出する。そして、算出された露出制御値は、ＣＰＵ３８からコントロール回路３６に送られ、該コントロール回路３６を介して自動露光制御、オートストロボ、オートホワイトバランス等の制御が行われる。
【００６１】
温度センサ１２７は、固体撮像素子１５近傍の温度を測定するセンサである。
【００６２】
ブザー１２８は、主に撮影時の警告などに用いられる音発生手段である。
【００６３】
コントロール回路３６は、ＣＰＵ３８から送られた露出制御値に基づいて固体撮像素子１５の駆動回路を制御し、また、電子シャッタ制御モード時には、固体撮像素子１５の電荷蓄積時間を制御し、一方、メカニカルシャッタ制御モード時には、メカニカルシャッタ装置１４の開閉タイミング等を制御し、さらに、露光時に絞り駆動装置６を制御する。
【００６４】
このように本実施の形態に係る撮像装置の露光制御は、２つの露光制御モードを有し、コントロール回路３６及びＣＰＵ３８により、電子シャッタ制御モードとメカニカルシャッタ制御モードとの切り換えが自動的に行われるように構成されている。
【００６５】
図５〜図７は、上述した電子シャッタ制御モード時とメカニカルシャッタ制御モード時における撮像装置の撮影シーケンスを説明するための図であり、図５は、メカニカルシャッタ制御モード時の撮影シーケンスを、図６は、電子シャッタ制御モード時の撮影シーケンスを、図７は、図６における電子シャッタ制御モード時のメカニカルシャッタ装置１４の制御シーケンスをそれぞれ示す。
【００６６】
まず、図５を参照して、メカニカルシャッタ制御モード時の撮影シーケンスを説明する。図５の（ａ）は先羽根走行開始信号、（ｂ）は後羽根走行開始信号、（ｃ）は先・後羽根駆動状態、（ｄ）は固体撮像素子（ＣＣＤ）１５の作動状態をそれぞれ示す。
【００６７】
図５において、ＣＰＵ３８がメカニカルシャッタ制御モードにより露出制御を行うことを決定すると、ＣＰＵ３８から送られた露出制御値に基づいてコントロール回路３６は、メカニカルシャッタ装置１４へ先羽根走行開始信号を出力して、先羽根群１４ａの駆動を開始させると共に、固体撮像素子１５を作動させて、電荷蓄積動作を開始させる。ＣＰＵ３８から送られた露出制御値に基づいて決定されたＴｖ値（目標露出時間）により、コントロール回路３６は、メカニカルシャッタ装置１４へ後羽根走行開始信号を出力して、後羽根群１４ｂの駆動を開始させ、先羽根群１４ａ及び後羽根群１４ｂによる固体撮像素子１５への露光動作を制御する。
【００６８】
固体撮像素子１５は、メカニカルシャッタ装置１４の後羽根群１４ｂの駆動終了後も、電荷蓄積動作を継続する（図５（ｃ）で斜線表示部分）。また、固体撮像素子１５は、露光時に必要以上に光が入射することにより発生するスミアの影響を除去するため、固体撮像素子１５を構成する光電変換素子に蓄積された信号電荷を垂直転送ＣＣＤへ移す前に、垂直転送ＣＣＤに漏れ込んだスミア成分を読み出して掃き捨てる。その後、固体撮像素子１５は電荷蓄積動作を終了させ、光電変換素子に蓄積された信号電荷を垂直転送ＣＣＤへ転送すると共に、信号電荷の読み出し動作である通常読み出しを行い、１駒分の撮影シーケンスを終了させる。
【００６９】
次に、図６を参照して、電子シャッタ制御モード時の撮影シーケンスを説明する。図６の（ａ）は先羽根走行開始信号、（ｂ）は後羽根走行開始信号、（ｃ）は先・後羽根駆動状態、（ｄ）は固体撮像素子（ＣＣＤ）１５の作動状態をそれぞれ示す。
【００７０】
図６において、ＣＰＵ３８が電子シャッタ制御モードにより露出制御を行うことを決定すると、ＣＰＵ３８から送られた露出制御値に基づいてコントロール回路３６は、まず、メカニカルシャッタ装置１４へ先羽根走行開始信号を出力して、先羽根群１４ａの駆動を開始させる。そして、先羽根群１４ａが完全に開放状態になった後、コントロール回路３６は、固体撮像素子１５を作動させて電荷蓄積動作を開始させ、ＣＰＵ３８から送られた露出制御値に基づいて決定されたＴｖ値により、電荷蓄積時間の制御を行う。
【００７１】
そして、電荷蓄積の終了のタイミングに合わせて、コントロール回路３６は、メカニカルシャッタ装置１４へ後羽根走行開始信号を出力して、後羽根群１４ｂの駆動を開始させ、固体撮像素子１５を遮光状態にする。固体撮像素子１５は、電荷蓄積時間終了と共に光電変換素子に蓄積された信号電荷を垂直転送ＣＣＤへ転送し、後羽根群１４ｂの駆動終了のタイミングにて信号電荷の読み出し動作である通常読み出しを行い、１駒分の撮影シーケンスを終了させるように構成されている。
【００７２】
次に、図７を参照して、電子シャッタ制御モード時のメカニカルシャッタ装置１４の制御シーケンスを説明する。図７の（ａ）は先羽根走行開始信号、（ｂ）は後羽根走行開始信号、（ｃ）は先・後羽根駆動状態、（ｄ）は固体撮像素子（ＣＣＤ）１５の作動状態をそれぞれ示す。
【００７３】
図７において、露光動作開始時にメカニカルシャッタ装置１４の先羽根群１４ａがコントロール回路３６からの先羽根走行開始信号により駆動を開始し、実際に本体開放部（以下、「アパーチャ」という）を開放し始めるまでの時間である先羽根タイムラグをＴ１とし、先羽根群１４ａがアパーチャを走行する時間である先羽根幕速をＶ１とし、露光動作終了時にメカニカルシャッタ装置１４の後羽根群１４ｂがコントロール回路３６からの後羽根走行開始信号により駆動を開始し、実際にアパーチャを遮光し始めるまでの時間である後羽根タイムラグをＴ２とし、後羽根群１４ｂがアパーチャを走行する時間である後羽根幕速をＶ２とすると、先羽根タイムラグＴ１、先羽根幕速Ｖ１、後羽根タイムラグＴ２及び後羽根幕速Ｖ２は、機械的要因により、ある一定範囲内で時間幅を持って固体バラツキを有している。
【００７４】
本来であれば、メカニカルシャッタ装置１４の駆動は、前駒の撮影シーケンス終了（通常読み出し終了）後に先羽根走行開始信号により先羽根群１４ａの駆動を開始し、先羽根群１４ａの駆動終了を検知するスイッチ等により先羽根群１４ａの駆動終了を検知してから信号電荷の通常読み出しを行えば、確実に露光制御が行える。
【００７５】
しかしながら、各動作の終了を待ってから次の動作を開始していたのでは、１駒当たりの撮影シーケンスに要する時間が長くなってしまい、また、各スイッチの作動状況をモニタしてから次の動作を開始していては、シーケンスに要する時間が長くなってしまい、その結果、撮像装置による高速連写が不可能になってしまう。
【００７６】
そこで、本実施の形態に係る撮像装置においては、電子シャッタ制御モード時は、全ての動作開始タイミングを時間により管理し、各動作をオーバーラップ制御するように構成している。
【００７７】
図７において、前駒の通常読み出し終了のＴ１ｍｉｎ時間前にコントローラ回路３６は先羽根走行開始信号を出力し、前駒の通常読み出しと次駒のメカニカルシャッタ装置１４の先羽根群１４ａの駆動とをＴ１ｍｉｎ時間オーバーラップさせる。次駒の電荷蓄積開始は、上述した先羽根走行開始信号の出力時から（Ｔ１ｍａｘ＋Ｖ１ｍａｘ）後に行う。
【００７８】
前駒の通常読み出し終了と次駒の電荷蓄積開始との間の時間は、（Ｖ１ｍａｘ＋（Ｔ１ｍａｘ−Ｔ１ｍｉｎ））となり、先羽根幕速Ｖ１の最遅時間と先羽根タイムラグＴ１のバラツキ時間により決定されることになる。
【００７９】
また、撮影駒の電荷蓄積終了のＴ２ｍｉｎ時間前にコントローラ回路３６は後羽根走行開始信号を出力し、撮影駒の電荷蓄積とメカニカルシャッタ装置１４の後羽根群１４ｂの駆動とをＴ２ｍｉｎ時間オーバーラップさせる。撮影駒の通常読み出し開始は、上述した後羽根走行開始信号の出力時から（Ｔ２ｍａｘ＋Ｖ２ｍａｘ）後に行う。
【００８０】
撮影駒の電荷蓄積終了と通常読み出し開始との間の時間は、（Ｖ２ｍａｘ＋（Ｔ２ｍａｘ−Ｔ２ｍｉｎ））となり、後羽根幕速Ｖ２の最遅時間と後羽根タイムラグＴ２のバラツキ時間により決定されることになる。
【００８１】
このように、本実施の形態における撮像装置に用いられる電子シャッタ制御モードによる露出制御時には、撮影駒のメカニカルシャッタ装置１４の先羽根群１４ａの駆動と前駒の通常読み出し動作とをオーバーラップ制御し、前駒の通常読み出し終了と撮影駒の電荷蓄積までの時間を短縮すると共に、撮影駒の電荷蓄積動作とメカニカルシャッタ装置１４の後羽根群１４ｂの駆動とをオーバーラップ制御し、撮影駒の電荷蓄積終了と通常読み出し開始までの時間を短縮することが可能となる。
【００８２】
また、幕速の高速化された高速秒時対応のより高性能なメカニカルシャッタ装置を使用すれば、高性能なメカニカルシャッタ装置を使用しなくても、先／後羽根タイムラグのバラツキ時間が小さなメカニカルシャッタ装置であれば、前駒の通常読み出し終了と次駒の電荷蓄積開始との間の時間及び撮影駒の電荷蓄積終了と通常読み出し開始との間の時間は短縮可能となり、結果として、１撮影シーケンス当たりの所要時間を短縮でき、高速連写が可能となる。
【００８３】
ところで、本実施の形態に用いられる撮像装置においては、図５及び図６を参照して説明したように、電子シャッタ制御モードとメカニカルシャッタ制御モードとでは、メカニカルシャッタ装置１４及び固体撮像素子１５の動作シーケンスが異なるため、１シーケンス当たりの所要時間が異なってしまう。特に、図５に示すメカニカルシャッタ制御モード時には、通常読み出し前に垂直転送を行うため、図６に示す電子シャッタ制御モード時よりも１シーケンス当たりの所要時間が長くなってしまい、高速連写には不利となってしまう。
【００８４】
そこで、本実施の形態に係る撮像装置では、各々の制御シーケンスのメリットを活かし、露出制御時のシャッタ秒時と固体撮像素子１５近傍の温度とに応じて、ＣＰＵ３８が制御シーケンスを切り換えるように構成されている。
【００８５】
すなわち、電子シャッタ制御モードにおいては、１シーケンス当たりの所要時間が短いこと及び露光時間が固体撮像素子１５の電荷蓄積時間の制御のみで決まることから、超高速シャッタ秒時制御が可能であり、したがって高速シャッタ秒時側の制御を行う。一方、低速シャッタ秒時側の制御をメカニカルシャッタ制御モードにより行う。このメカニカルシャッタ制御モードの実行では、長秒時の露光時に必要以上の光が入射することにより発生するスミアの影響を除去するべく、垂直転送ＣＣＤに漏れ込んだスミア成分を読み出して、掃き捨てるようにする。これにより、Ｓ／Ｎ（信号対雑音）の良いスミアの影響のない信号を読み出すことが可能となる。
【００８６】
図８は、本実施の形態に係る撮像装置において電子シャッタ制御モードとメカニカルシャッタ制御モードとが実行される領域をシャッタ秒時に沿って示す図である。
【００８７】
同図において、電子シャッタ制御モードでは、１／３０秒より高速側のシャッタ秒時制御を行い、メカニカルシャッタ制御モードでは、１／５００秒より低速側のシャッタ秒時制御を行うように設定され、且つ１／５００秒〜１／３０秒の間は、固体撮像素子１５近傍の温度に応じて、電子シャッタ制御モード、メカニカルシャッタ制御モードのうち一方が選択されるように構成される。
【００８８】
すなわち、固体撮像素子１５及びその周辺の電気回路が高温になると画像データでのノイズ成分が増加するので、温度センサ１２７によって検出された固体撮像素子１５近傍の温度が４５℃以上の場合は、シャッタスピード１／５００秒を上限にし、メカニカルシャッタ制御モードを選択するようにし、１／５００秒より高速側は電子シャッタ制御モードを選択し、加えて、固体撮像素子１５の光電変換素子から垂直転送ＣＣＤに漏れこんだスミア成分を読み出して掃き捨てるようにする。一方、固体撮像素子１５近傍の温度が４５℃未満の場合、シャッタスピード１／３０秒を下限し、電子シャッタ制御モードを選択するようにし、１／３０秒より低速側はメカニカルシャッタ制御モードを選択するようにする。
【００８９】
以上のように、本実施の形態の撮像装置においては、電子シャッタ制御モードとメカニカルシャッタ制御モードとのいずれかの選択を、ＣＰＵ３８が、設定されたシャッタ秒時と温度センサ１２７の検出結果とに応じて行うようにする。
【００９０】
次に、ＩＳＯブラケット撮影モード時において、固体撮像素子１５近傍の温度が所定値以上の場合の撮像感度の設定方法を、ユーザが予め選択する場合の選択手順を、図９を参照して説明する。
【００９１】
図９は、固体撮像素子１５近傍の温度が所定値以上の場合のＩＳＯブラケット撮影モード時における撮像感度の設定処理の手順を示すフローチャートである。
【００９２】
ステップＳ１０１で、ＡＦモード選択ＳＷ１１８、測光モード選択ＳＷ１１９、およびドライブモード選択ＳＷ（ＤＲモードＳＷ）１２６がいずれもオンされているか否かを判定する。全部がオンされている場合、ステップＳ１０２へ進み、全部はオンされていない場合、本処理を終了する。
【００９３】
ステップＳ１０２では、メイン電子ダイヤル１１５に対してユーザによって行われた操作に応じて、すなわちメイン電子ダイヤル１１５の回転クリック数と回転方向とに応じて、以下に示す３つのモードのうちの対応するブラケット対応モードを本撮像装置に設定する。
【００９４】
すなわち、ブラケット対応モードには、高感度制限モード、ブラケット幅優先モード、高感度側ゲイン制御変更モードの３つがある。
【００９５】
高感度制限モードは、予め設定されたブラケット幅によってＩＳＯブラケット値を設定したとき、高感度側のＩＳＯブラケット値を、固定撮像素子１５近傍の温度で使用可能なＩＳＯ感度によって制限し、高感度側のＩＳＯブラケット値が、該温度で使用可能なＩＳＯ感度の上限値を超えている場合に、高感度側のＩＳＯブラケット値を、該温度で使用可能なＩＳＯ感度の上限値に変更するモードである。
【００９６】
ブラケット幅優先モードは、設定されたブラケット幅を優先するもので、高感度側のＩＳＯブラケット値が、固定撮像素子１５近傍の温度で使用可能なＩＳＯ感度の上限値を超えている場合に、ＩＳＯブラケット基準中心値を低感度側にずらして高感度側のＩＳＯブラケット幅を確保するようにするモードである。
【００９７】
高感度側ゲイン制御変更モードは、通常、アナログゲインで行われる撮像感度制御を、高感度側のみデジタル的な処理により行うモードである。すなわち、アナログゲインで高感度に対応しようとした場合、ノイズ成分が多くなり画像の品質が低下してしまう。一方、デジタル的な処理（デジタルゲイン）を行うと、デジタル演算が行われるため、画像の階調は粗くなるがノイズ成分は増幅されず、デジタル的な処理はノイズの点では有用である。つまり、低感度、中感度側では階調を優先し、高感度側ではノイズ低下を優先するようにしている。
【００９８】
次に、ＩＳＯブラケット撮影を行うべく前もって設定を行うためのＩＳＯブラケット設定モードについて、図１０および図１１を参照して説明する。
【００９９】
ＩＳＯブラケット撮影とは、１回のレリーズ操作で、露光条件を変えずに（シャッタスピードや、絞り値を変化させずに）、１駒ごとに固体撮像素子１５の撮影感度値（固体撮像素子１５から出力される画像信号のゲイン調整値）を変化させて複数駒の撮影を行う撮影方式である。
【０１００】
図１０は、ＣＰＵ３８で実行されるＩＳＯブラケット撮影のためのＩＳＯブラケット設定処理の手順を示すフローチャートである。
【０１０１】
まず、ステップＳ２０１において、ＡＦモード選択ＳＷ１１８と測光モード選択ＳＷ１１９の両方がＯＮしているか否かを判別する。両方がＯＮしていると判別されたならば、ステップＳ２０２へ進み、ＩＳＯブラケット設定モードが設定される。この時、外部液晶表示装置１４０には、図１１（Ａ）に示す画面が表示される。
【０１０２】
図１１は、外部液晶表示装置１４０の各表示画面を示す図である。
【０１０３】
図１１（Ａ）において、表示位置１４０ａに、ＩＳＯブラケット撮影モードにおけるＩＳＯの基準中心値を示し、また表示位置１４０ｂに、ＩＳＯのブラケット補正量（ゲイン調整量）をドット位置で示し、目盛りは１／３段を単位とする。表示位置１４０ｃに、ブラケット補正量（ゲイン調整量）を７セグメント表示にて示す。本実施の形態では、表示位置１４０ｂに３つのドットを表示することによって、異なる３つのブラケット補正量（ゲイン調整量）でゲイン調整が行われることを示している。
【０１０４】
図１０に戻って、ステップＳ２０３で、固体撮像素子１５近傍の温度を温度センサ１２７により測定する。
【０１０５】
ステップＳ２０４で、ステップＳ２０３で測定された温度において使用可能なＩＳＯ感度の上限値を設定する。なお４５℃以上の場合、固体撮像素子１５及び画像処理回路全般のノイズ成分が多くなり、撮影結果に悪影響を及ぼす。したがって、本実施の形態では、固体撮像素子１５近傍の温度が４５℃よりも低いときにＩＳＯ感度の上限値が１６００であるのに対して、４５℃以上の場合、ＩＳＯ感度の上限値が４００に設定される。
【０１０６】
ステップＳ２０５で、現在のＩＳＯ感度が、ステップＳ２０４で設定されたＩＳＯ感度の上限値以下であるか否かを判別する。現在のＩＳＯ感度が上限値以下であるならばステップＳ２０７へ進み、上限値よりも大きいならばステップＳ２０６へ進む。ステップＳ２０６では、ブザー１２８から警報音を発生するか、外部液晶表示装置１４０等で点滅表示を行ってユーザに警告を与え、現在のＩＳＯ感度をＩＳＯ感度の上限値に設定し、ステップＳ２０７へ進む。
【０１０７】
ステップＳ２０７では、メイン電子ダイヤル１１５から信号が入力されているか否かを判別し、入力されているならばステップＳ２０８へ進み、入力されていないならばステップＳ２０９へ進む。ステップＳ２０９では、サブ電子ダイヤル１１６から信号が入力されているか否かを判別し、入力されているならばステップＳ２１０へ進み、入力されていないならばステップＳ２１２へ進む。
【０１０８】
ステップＳ２０８では、メイン電子ダイヤル１１５からの入力信号に応じてＩＳＯの基準中心値を変更する。なお、温度センサ１２７の検出結果に応じてＩＳＯ感度の設定範囲が制限されている時には、制限値を超えてＩＳＯ感度を設定できないようになっている。
【０１０９】
この時の外部液晶表示装置１４０の表示画面では、図１１に示す表示位置１４０ａにおいて、ＩＳＯ基準中心値の初期値がＩＳＯ２００ならば、メイン電子ダイヤル１１５が１クリック回転される毎に、２００→２５０→３２０→４００・・・１６００というように、１／３段ずつ画像信号のゲイン調整値が増加していく。また、逆回転方向に操作されると、１６００→１２５０→１０００→８００・・・→２００というように、画像信号のゲイン調整値が１／３段ずつ減少していく。ＩＳＯ感度の上限値は、ステップＳ２０４で設定された上限値となる。
【０１１０】
図１０に戻って、ステップＳ２１０では、サブ電子ダイヤル１１６からの入力信号に応じて、１クリック当たりのゲイン調整の変化量を１／３ＥＶとし、ブラケット補正量を決定する。補正量設定時には、ステップＳ２０４で設定されたＩＳＯ感度の上限値は考慮されない。
【０１１１】
この時の外部液晶表示装置１４０の表示画面では、図１１に示す表示位置１４０ｂにおいて、初期状態である図１１（Ａ）の状態から、サブ電子ダイヤル１１６が１クリック回転される毎に、ＩＳＯのブラケット補正量（ゲイン調整量）を示す２つのドット位置が基準中心値から拡散していく。図１１（Ｂ）は、サブ電子ダイヤル１１６が、初期状態（Ａ）から１クリック回転操作されたときの３つのドット位置を示し、図１１（Ｃ）は、サブ電子ダイヤル１１６が、初期状態から２クリック回転操作された状態を示している。
【０１１２】
また、サブ電子ダイヤル１１６を逆方向に回転させると、図１１（Ｃ）の状態から図１１（Ｂ）→図１１（Ａ）の状態へ順次変化していく。
【０１１３】
図１１に示す表示位置１４０ｃに表示されるブラケット補正量（ゲイン調整量）も、ドット表示に対応して、サブ電子ダイヤル１１６が１クリック回転される毎に、０．０→０．３→０．７→・・・→３．０というように１／３段ずつ変化していく。また、サブ電子ダイヤル１１６を逆方向へ回転させると、３．０→２．７→２．３→・・・→０．０と変化していく。
【０１１４】
図１０に戻って、ステップＳ２１０にてＩＳＯのブラケット補正量（ゲイン調整量）が決定されると、ステップＳ２１１にて、ＩＳＯブラケットのフラグを設定するとともに、変数Ｎ＝０をＣＰＵ３８内のメモリに記憶して、ステップＳ２１２へ移行する。このフラグが設定されると、後述するＩＳＯブラケット撮影が行われる。つまり、ＩＳＯブラケット設定モードにてサブ電子ダイヤル１１６が操作され、ブラケット補正量が設定されると、ＩＳＯブラケット撮影を行うことができるようになる。
【０１１５】
ステップＳ２１２では、ＡＦモード選択ＳＷ１１８および測光モード選択ＳＷ１１９がＯＦＦされているか否かを判別し、ＯＦＦされていない場合には、ステップＳ２０３へ戻り、ＯＦＦされていれば、ＩＳＯブラケット設定モードを終了する。
【０１１６】
次に、撮影シーケンスを説明する。
【０１１７】
図１２〜図１７は、本実施の形態の撮像装置における動作手順を示すフローチャートである。
【０１１８】
まず、ステップＳ３０１で、図示しない電源スイッチがオン（ＯＮ）されると、撮像装置は撮影のためのスタンバイ状態になる。
【０１１９】
ステップＳ３０２で、撮影モードを設定する。撮影モードの設定は、撮影モード選択ＳＷ１１７をオンさせた状態で、メイン電子ダイヤル１１５を操作することで設定することができる。
【０１２０】
ステップＳ３０３で、ステップＳ３０２で設定した撮影モードに応じて撮影パラメータを設定する。Ａｖ優先モードの時は、メイン電子ダイヤル１１５を操作することで絞り値を設定し、シャッタ優先モードの時は、メイン電子ダイヤル１１５を操作することでシャッタスピードを設定し、マニュアルモードの時は、メイン電子ダイヤル１１５でシャッタスピード、サブ電子ダイヤル１１６で絞り値を設定する。また、図９および図１０に示すＩＳＯブラケット設定もこの段階で行われる。
【０１２１】
ステップＳ３０４で、レリーズボタン１１４の半押し操作（第１ストローク操作）によってスイッチＳＷ（１）１１４ａがオン（ＯＮ）になっているか否かを判別する。オンになっていなければステップＳ３０１に戻り、オンになっていれば、ステップＳ３０５およびステップＳ３０７に進む。ステップＳ３０５では、測光装置１１により測光を行い、ステップＳ３０７では、焦点検出装置１３により測距を行う。ステップＳ３０８では、ステップＳ３０７での測距の結果に基づいて、撮影レンズ２の駆動が行われる。
【０１２２】
ステップＳ３０６では、固体撮像素子１５近傍に配置された温度センサ１２７により固体撮像素子１５近傍の温度を測定する。
【０１２３】
ステップＳ３０９で、ＣＰＵ３６は、ＩＳＯブラケット撮影モードが設定されているか、他のモードが設定されているかを判定する。ＩＳＯブラケット撮影モードが設定されている場合、図１５に示すステップ８０１へ進み、ＩＳＯブラケット撮影モードが設定されていない場合、図１３のステップＳ３１０へ移行する。
【０１２４】
ステップＳ３１０で、      撮影モードがＡｖ優先モード（絞り優先モード）であるか否かを判断する。そして、Ａｖ優先モードであると判断された場合は、ステップＳ３１１でＡｖ優先モードでの露出パラメータを決定する。ステップＳ３１１で行われる処理の詳細は、図１８を参照して後述する。
【０１２５】
ステップＳ３１０で撮影モードがＡｖ優先モードではないと判断された場合は、ステップＳ３１２で、撮影モードがＴｖ優先モード（シャッタ優先モード）であるか否かを判断する。そして、Ｔｖ優先モードであると判断された場合は、ステップＳ３１３でＴｖ優先モードでの露出パラメータを決定する。ステップＳ３１３で行われる処理の詳細は、図１９を参照して後述する。
【０１２６】
ステップＳ３１２で撮影モードがＴｖ優先モードではないと判断された場合は、ステップＳ３１４で、撮影モードがプログラムモードであるか否かを判断する。そして、プログラムモードであると判断された場合は、ステップＳ３１５でプログラムモードでの露出パラメータを決定する。ステップＳ３１５で行われる処理の詳細は、図２０を参照して後述する。
【０１２７】
ステップＳ３１４で撮影モードがプログラムモードではないと判断された場合は、撮影モードがマニュアルモードであるので、ステップＳ３１７でマニュアルモードでの露出パラメータを決定する。ステップＳ３１７で行われる処理の詳細は、図２１を参照して後述する。
【０１２８】
以上のように、いずれのモードが選択された場合でも露出パラメータが決定される。ここで決定される露出パラメータには、Ｔｖ値（目標露光時間）及びＡｖ値（目標絞り値）が含まれる。
【０１２９】
次に、ステップＳ３１８で、レリーズスイッチ１１４の全押し操作（第２ストローク操作）によりスイッチＳＷ（２）１１４ｂがオン（ＯＮ）されているか否かを判別する。オンされていればステップＳ３１９へ進み、オンされていなければステップＳ３０４へ戻る。
【０１３０】
ステップＳ３１９では、ＣＰＵ３８が、シャッタ制御モードとして電子シャッタモードとメカニカルシャッタモードとのうちどちらが設定されているかを判定する。電子シャッタモードが設定されている場合、図１４のステップＳ３２１に進み、メカニカルシャッタモードが設定されている場合、図１４のステップＳ３２５に進む。
【０１３１】
電子シャッタモードが設定されている場合はステップＳ３２１で、ＣＰＵ３８から送られた露出制御値に基づいてコントロール回路３６が、メカニカルシャッタ装置１４へ先羽根走行開始信号を出力して、先羽根群１４ａの駆動を開始（先幕開放）させた後、次のステップＳ３２２へ進む。
【０１３２】
先羽根群１４ａが完全に開放状態になった後、ステップＳ３２２で、コントロール回路３６は、固体撮像素子１５を作動させて電荷蓄積動作を開始させ、ＣＰＵ３８から送られた露出制御値に基づいて決定されたＴｖ値により電荷蓄積時間の制御を行った後、次のステップＳ３２３へ進む。
【０１３３】
電荷蓄積終了のタイミングに合わせて、ステップＳ３２３で、コントロール回路３６は、メカニカルシャッタ装置１４へ後羽根走行開始信号を出力して、後羽根群１４ｂの駆動を開始させて固体撮像素子１５を遮光状態（後幕遮蔽）とした後、ステップＳ３３０へ進む。
【０１３４】
一方、メカニカルシャッタモードが設定されている場合はステップＳ３２５で、固体撮像素子１５を作動させて電荷蓄積動作を開始させると共に、ステップＳ３２６で、メカニカルシャッタ装置１４へ先羽根走行開始信号を出力して、先羽根群１４ａの駆動を開始（先幕開放）させた後、次のステップＳ３２７で、固体撮像素子１５への露光を行う。
【０１３５】
ステップＳ３２８では、ＣＰＵ３８から送られた露出制御値に基づいて決定されたＴｖ値により、コントロール回路３６が、メカニカルシャッタ装置１４へ後羽根走行開始信号を出力して、後羽根群１４ｂの駆動を開始させて、先羽根群１４ａ及び後羽根群１４ｂによる固体撮像素子１５への露光動作を終了する（後幕遮蔽）。
【０１３６】
次のステップＳ３２９では、固体撮像素子１５が、メカニカルシャッタ装置１４の後羽根走行終了後、電荷値蓄積動作を継続すると共に、露光時に必要以上の光が入射することにより発生するスミアの影響を除去するため、固体撮像素子１５の光電変換素子に蓄積された信号電荷を垂直転送ＣＣＤへ移す前に、垂直転送ＣＣＤに漏れ込んだスミア成分を読み出して（垂直転送）掃き捨てる。その後、ステップＳ３３０へ進む。
【０１３７】
ステップＳ３３０で、固体撮像素子１５は電荷蓄積動作を終了し、光電変換素子に蓄積された信号電荷を垂直転送ＣＣＤへ転送すると共に、信号電荷の読み出し動作である通常読み出しを行う。次に、ステップＳ３３１で画像処理を行い、次のステップＳ３３２でメモリカード３４へ画像を記録した後、本処理動作を終了する。
【０１３８】
次に、図１５〜図１７に示すステップＳ８０１以降のＩＳＯブラケット撮影処理を説明する。
【０１３９】
ステップＳ８０１で、撮影モードがＡｖ優先モードであるか否かを判断する。そして、Ａｖ優先モードであると判断された場合は、ステップＳ８０３で、Ａｖ優先モードでの露出パラメータを決定する。ステップＳ８０３は、図１３のステップＳ３１１と同じ処理を行うものであり、ステップＳ８０３で行われる処理の詳細は、図１８を参照して後述する。
【０１４０】
ステップＳ８０１でＡｖ優先モードではないと判断された場合はステップＳ８０２で、撮影モードがＴｖ優先モードであるか否かを判断する。そして、Ｔｖ優先モードであると判断された場合は、ステップＳ８０４で、Ｔｖ優先モードでの露出パラメータを決定する。ステップＳ８０４は、図１３のステップＳ３１３と同じ処理を行うものであり、ステップＳ８０４で行われる処理の詳細は、図１９を参照して後述する。
【０１４１】
ステップＳ８０２でＴｖ優先モードではないと判断された場合は撮影モードがプログラムモードとなるので、ステップＳ８０５で、プログラムモードでの露出パラメータを決定する。ステップＳ８０５は、図１３のステップＳ３１５と同じ処理を行うものであり、ステップＳ８０５で行われる処理の詳細は、図２０を参照して後述する。
【０１４２】
以上のように、いずれのモードが選択された場合でも露出パラメータが決定される。ここで決定される露出パラメータには、Ｔｖ値（目標露光時間）及びＡｖ値（目標絞り値）が含まれる。
【０１４３】
次にステップＳ８０６で、レリーズスイッチ１１４の全押し操作（第２ストローク操作）によりスイッチＳＷ（２）１１４ｂがオン（ＯＮ）しているか否かを判別する。オンしていなければステップＳ８０７に進んで、ＩＳＯブラケット撮影を中断するユーザ指示が出ているか否かを判別し、出ていれば本処理を終了し、出ていなければステップＳ８０６に戻る。
【０１４４】
ステップＳ８０６でスイッチＳＷ（２）１１４ｂがオンしていると判別されたならば、ステップＳ８０８に進んで、ブラケット撮影で何駒目を実行中であるかを判定するために変数Ｎの値を確認する。Ｎ＝０の場合、ステップＳ８０９へ移行する。Ｎ＝１の場合、ステップＳ８１１へ移行する。Ｎ＝２の場合、ステップＳ８１０へ移行する。
【０１４５】
ステップＳ８０９では、露出アンダー撮影となるように、ＩＳＯ感度を低感度側のＩＳＯブラケット値に設定する。
【０１４６】
具体的には、図１２のステップＳ３０６での温度測定結果が４５℃未満の場合には、低感度側のＩＳＯブラケット値は、図１０のステップＳ２０８で設定されたＩＳＯ基準中心値、およびステップＳ２１０で設定されたブラケット補正量によって決定される。
【０１４７】
なお、ブラケット対応モードが高感度制限モードの場合、ステップＳ３０６での温度測定結果が４５℃以上の時でも、低感度側のＩＳＯブラケット値の設定であるステップＳ８０９では、ＩＳＯ感度が、図１０のステップＳ２０８で設定されたＩＳＯ基準中心値、およびステップＳ２１０で設定されたブラケット補正量によって決定される。
【０１４８】
ブラケット対応モードがブラケット幅優先モードの時、後述のステップＳ８１０での高感度側のＩＳＯブラケット値の設定においてＩＳＯ基準中心値が低感度側にシフトされた場合、ステップＳ８０９でも、低感度側のＩＳＯブラケット値が低感度側にシフトされる。またこの時、ブザー１２８から警報音を発生するか、外部液晶表示装置１４０等で点滅表示を行ってユーザに警告を与える。
【０１４９】
ステップＳ８１０では、露出オーバー撮影となるように、ＩＳＯ感度を高感度側のＩＳＯブラケット値に設定する。
【０１５０】
具体的には、図１２のステップＳ３０６での温度測定結果が４５℃未満の場合には、高感度側のＩＳＯブラケット値は、図１０のステップＳ２０８で設定されたＩＳＯ基準中心値、およびステップＳ２１０で設定されたブラケット補正量によって決定される。
【０１５１】
ブラケット対応モードが高感度制限モードの場合、ステップＳ３０６での温度測定結果が４５℃以上の時、高感度側のＩＳＯブラケット値が、高温時に使用可能なＩＳＯ感度の上限値を越えている場合、高感度側のＩＳＯブラケット値は、該上限値に変更される。本実施の形態では上限値はＩＳＯ４００となっている。このように高感度側のＩＳＯブラケット幅（ブラケット補正量（ゲイン調整量））が制限された場合、ブザー１２８から警報音を発生するか、外部液晶表示装置１４０等で点滅表示を行ってユーザに警告を与える。
【０１５２】
また、ブラケット対応モードがブラケット幅優先モードの場合、ステップＳ３０６での温度測定結果が４５℃以上の時、設定されたＩＳＯブラケット幅では高感度側のＩＳＯ感度（ＩＳＯブラケット値）が、固定撮像素子１５近傍温度での使用可能なＩＳＯ感度範囲を越える場合、高感度側のＩＳＯ感度（ＩＳＯブラケット値）が、該ＩＳＯ感度範囲の上限値になるように、ＩＳＯブラケット基準中心値を低感度側にシフトする。このシフトに伴って、ＩＳＯブラケット撮影の標準露出時及びアンダー露出時のＩＳＯ感度も、露出オーバー時のＩＳＯ感度シフト量と同じ量だけシフトさせる。また、ブザー１２８から警報音を発生するか、外部液晶表示装置１４０等で点滅表示を行ってユーザに警告を与える。
【０１５３】
また、ブラケット対応モードが高感度側ゲイン制御変更モードの場合、ステップＳ３０６での温度測定結果が４５℃以上の時、設定されたＩＳＯブラケット幅では高感度側のＩＳＯ感度（ＩＳＯブラケット値）が、固定撮像素子１５近傍温度での使用可能なＩＳＯ感度範囲を越える場合、高感度側の撮像感度制御をデジタル処理（デジタルゲイン変更）によって行うようにする。すなわち通常、アナログ信号処理回路２０内のゲイン調整回路で撮像信号を増幅しているものを、メイン信号処理回路２４内のデジタル信号処理回路４８で演算処理にて感度増幅を行う。
【０１５４】
ステップＳ８１１では、露出標準撮影となるように、ＩＳＯ感度を中感度側（標準）に設定する。
【０１５５】
なお、図１２のステップＳ３０６での温度測定結果が４５℃未満の場合には、中感度側のＩＳＯブラケット値は、図１０のステップＳ２０８で設定されたＩＳＯ基準中心値である。
【０１５６】
ブラケット対応モードが高感度制限モードの場合、ステップＳ３０６での温度測定結果が４５℃以上の時でも、中感度側のＩＳＯブラケット値は、図１０のステップＳ２０８で設定されたＩＳＯ基準中心値である。
【０１５７】
ブラケット対応モードがブラケット幅優先モードの時、ステップＳ８１１では、ステップＳ８１０での高感度側のＩＳＯブラケット値がシフトされた場合には、中感度側でもＩＳＯブラケット値がシフトされる。またこの時、ブザー１２８から警報音を発生するか、外部液晶表示装置１４０等で点滅表示を行ってユーザに警告を与える。
【０１５８】
次に、図１６に示すステップＳ８１２から図１７に示すステップＳ８２５までの処理は、図１３に示すステップＳ３１９から図１４に示すステップＳ３３２までの処理と同一であるので、ここでの説明は省略する。
【０１５９】
図１７のステップＳ８２６では、ブラケット撮影回数をカウントする変数ＮをＮ＝Ｎ＋１とする。
【０１６０】
ステップＳ８２７で、ステップＳ８２６でインクレメントされた変数Ｎの値が３であるか否かを判定する。変数Ｎ＝３の場合、ブラケット撮影シーケンスが終わったことになり、ステップＳ８２８に移行する。変数Ｎが３でない場合、図１５のステップＳ８０６へ戻る。
【０１６１】
ステップＳ８２８では、ブラケット実行フラグを解除した後、本処理動作を終了する。
【０１６２】
図１８は、図１３のステップＳ３１１および図１５のステップＳ８０３の詳しい内容を示す、Ａｖ優先モード時に実行される撮影パラメータ決定処理の手順を示すフローチャートである。
【０１６３】
ステップＳ４０２で、図１２のステップＳ３０５での温度センサ１２７による温度測光結果と、ステップＳ３０３で設定されたＩＳＯ感度およびＡｖ値を基に、適切なシャッタスピード（Ｔｖ値）を算出する。
【０１６４】
ステップＳ４０３で、温度センサ１２７での温度測定結果と、ステップＳ４０２で算出されたシャッタスピードとを基に、図８を参照して、シャッタ制御モードを選択する。これを以下に詳しく説明する。
【０１６５】
温度センサ１２７の測定結果が４５℃未満で、ステップＳ４０２で算出されたシャッタスピードが１／３０秒より高速側の場合、シャッタ制御モードを電子シャッタ制御モードに設定し、ステップＳ４０８に移行して元のシーケンスに戻る。
【０１６６】
また、温度センサ１２７の測定結果が４５℃未満で、ステップＳ４０２で算出されたシャッタスピードが１／３０秒より低速側の場合、シャッタ制御モードをメカニカルシャッタ制御モードに設定し、ステップＳ４０８に移行して元のシーケンスに戻る。
【０１６７】
また、温度センサ１２７の測定結果が４５℃以上で、ステップＳ４０２で算出されたシャッタスピードが１／５００秒より低速側の場合、シャッタ制御モードをメカニカルシャッタ制御モードに設定し、ステップＳ４０８に移行して元の動作手順に戻る。
【０１６８】
また、温度センサ１２７の測定結果が４５℃以上で、ステップＳ４０２で算出されたシャッタスピードが１／５００秒より高速側の場合、このまま撮影を続行すると撮影画像にノイズ、スミアなどの画像劣化が発生することになるので、ステップＳ４０４に進んで、ブザー１２８から警報音を発生するか、外部液晶表示装置１４０等で点滅表示を行ってユーザに警告を与える。
【０１６９】
次にステップＳ４０５で、レリーズＳＷ（１）１１４ａがオンしているか否かを判別する。オンしていれば撮影者が撮影続行を選択したと判断し、ステップＳ４０６へ移行する。レリーズＳＷ（１）１１４ａがオフしていれば撮影者が撮影中断を選択したと判断し、撮影を中断する（Ｓ４０７）。
【０１７０】
ステップＳ４０６では、シャッタスピードが１／５００秒より低速側になるようにＩＳＯ感度の引き下げを行い、シャッタ制御モードをメカニカルシャッタ制御モードに設定できるようにする。また、ＬＣＤモニタ装置１２０に表示される表示内容を変更する。
【０１７１】
ＩＳＯ感度を引き下げ、かつメカニカルシャッタ制御モードを選択することで、ＩＳＯ感度が高くなることによるノイズ成分の増幅を抑え、かつＣＣＤ転送路のスミア成分を吐き出すことで、画像ノイズの少ない撮像を行うことができる。
【０１７２】
ＩＳＯブラケット撮影モードの場合、本ステップでＩＳＯ感度が変更されたならば、ＩＳＯブラケット撮影時の基準となるＩＳＯ感度を変更する。
【０１７３】
ステップＳ４０６の実行後、ステップＳ４０８に進み、元の動作手順に戻る。
【０１７４】
図１９は、図１３のステップＳ３１３および図１５のステップＳ８０４の詳しい内容を示す、Ｔｖ優先モード時に実行される撮影パラメータ決定処理の手順を示すフローチャートである。
【０１７５】
ステップＳ５０２で、図１２のステップＳ３０５での温度センサ１２７による温度測光結果と、図１２のステップＳ３０３で設定されたＩＳＯ感度およびＴｖ値を基に、適切な絞り値（Ａｖ値）を算出する。
【０１７６】
ステップＳ５０３で、温度センサ１２７による温度測定結果とステップＳ３０３で設定されたシャッタスピード（Ｔｖ値）を基に、図８を参照して、シャッタ制御モードを選択する。これを以下に詳しく説明する。
【０１７７】
温度センサ１２７の測定結果が４５℃未満で、ステップＳ３０３で設定されたシャッタスピードが１／３０秒より高速側の場合、シャッタ制御モードを電子シャッタ制御モードに設定し、ステップＳ５０８に移行して元の動作手順に戻る。
【０１７８】
また、温度センサ１２７の測定結果が４５℃未満で、ステップＳ３０３で設定されたシャッタスピードが１／３０秒より低速側の場合、シャッタ制御モードをメカニカルシャッタ制御モードに設定し、ステップＳ５０８に移行して元の動作手順に戻る。
【０１７９】
また、温度センサ１２７の測定結果が４５℃以上で、ステップＳ３０３で設定されたシャッタスピードが１／５００秒より低速側の場合、シャッタ制御モードをメカニカルシャッタ制御モードに設定し、ステップＳ５０８に移行して元の動作手順に戻る。
【０１８０】
また、温度センサ１２７の測定結果が４５℃以上で、ステップＳ３０３で設定されたシャッタスピードが１／５００秒より高速側の場合、このまま撮影を続行すると撮影画像にノイズ、スミアなどの画像劣化が発生することになるので、ステップＳ５０４に進んで、ブザー１２８から警報音を発生するか、外部液晶表示装置１４０等で点滅表示を行ってユーザに警告を与える。
【０１８１】
次のステップＳ５０５では、レリーズＳＷ（１）１１４ａがオンしているか否かを判別する。オンしていれば撮影者が撮影続行を選択したと判断し、ステップＳ５０６へ移行する。レリーズＳＷ（１）１１４ａがオフしていれば撮影者が撮影中断を選択したと判断し、撮影を中断する（Ｓ５０７）。
【０１８２】
ステップ５０６では、シャッタスピードが１／５００秒より低速側になるようにＩＳＯ感度の引き下げを行い、シャッタ制御モードをメカニカルシャッタ制御モードに設定できるようにする。必要に応じて絞り値の再算出を行う。また、ＬＣＤモニタ装置１２０に表示される表示内容を変更する。
【０１８３】
ＩＳＯ感度を引き下げ、かつメカニカルシャッタ制御モードを選択することで、ＩＳＯ感度が高くなることによるノイズ成分の増幅を抑え、かつＣＣＤ転送路のスミア成分を吐き出すことで、画像ノイズの少ない撮像を行うことができる。
【０１８４】
ＩＳＯブラケット撮影モードの場合、本ステップでＩＳＯ感度が変更されたならば、ＩＳＯブラケット撮影時の基準となるＩＳＯ感度を変更する。
【０１８５】
ステップＳ５０６の実行後、ステップＳ５０８に進み、元の動作手順に戻る。
【０１８６】
図２０は、図１３のステップＳ３１５および図１５のステップＳ８０５の詳しい内容を示す、プログラムモード時に実行される撮影パラメータ決定処理の手順を示すフローチャートである。
【０１８７】
ステップＳ６０２で、図１２のステップＳ３０５での温度センサ１２７による温度測光結果と、図１２のステップＳ３０３で設定されたＩＳＯ感度を基に、適切なシャッタスピード（Ｔｖ値）、絞り値（Ａｖ値）を算出する。
【０１８８】
ステップＳ６０３で、温度センサ１２７による測定結果と、ステップＳ６０２で算出されたシャッタスピードとを基に、図８を参照して、シャッタ制御モードを選択する。これを以下に詳しく説明する。
【０１８９】
温度センサ１２７の測定結果が４５℃未満で、ステップＳ６０２で算出されたシャッタスピードが１／３０秒より高速側の場合、シャッタ制御モードを電子シャッタ制御モードに設定し、ステップＳ６０８に移行して元の動作手順に戻る。
【０１９０】
また、温度センサ１２７の測定結果が４５℃未満で、ステップＳ６０２で算出されたシャッタスピードが１／３０秒より低速側の場合、シャッタ制御モードをメカニカルシャッタ制御モードに設定し、ステップＳ６０８に移行して元の動作手順に戻る。
【０１９１】
また、温度センサ１２７の測定結果が４５℃以上で、ステップＳ６０２で算出されたシャッタスピードが１／５００秒より低速側の場合、シャッタ制御モードをメカニカルシャッタ制御モードに設定し、ステップＳ６０８に移行して元の動作手順に戻る。
【０１９２】
また、温度センサ１２７の測定結果が４５℃以上で、ステップＳ６０２で算出されたシャッタスピードが１／５００秒より高速側の場合、このまま撮影を続行すると撮影画像にノイズ、スミアなどの画像劣化が発生することになるので、ステップＳ６０４に進んで、ブザー１２８から警報音を発生するか、外部液晶表示装置１４０等で点滅表示を行ってユーザに警告を与える。
【０１９３】
次のステップＳ６０５では、レリーズＳＷ（１）１１４ａがオンしているか否かを判別する。オンしていれば撮影者が撮影続行を選択したと判断し、ステップＳ６０６へ移行する。レリーズＳＷ（１）１１４ａがオフしていれば撮影者が撮影中断を選択したと判断し、撮影を中断する（Ｓ６０７）。
【０１９４】
ステップＳ６０６では、シャッタスピードが１／５００秒より低速側になるようにプログラムシフトを自動的に行い、シャッタ制御モードをメカニカルシャッタ制御モードに設定できるようにする。なお、プログラムシフトだけでは絞り値、シャッタスピードが設定可能な値にならない場合、ＩＳＯ感度の引き下げを行い、より低速なシャッタスピードを選択できるようにし、これによって、シャッタ制御モードをメカニカルシャッタ制御モードに設定できるようにする。かつ、絞り値の再算出を行う。また、ＬＣＤモニタ装置１２０に表示される表示内容を変更する。
【０１９５】
ＩＳＯ感度を引き下げ、かつメカニカルシャッタ制御モードを選択することで、ＩＳＯ感度が高くなることによるノイズ成分の増幅を抑え、かつＣＣＤ転送路のスミア成分を吐き出すことで、画像ノイズの少ない撮像を行うことができる。
【０１９６】
ＩＳＯブラケット撮影モードの場合、本ステップでＩＳＯ感度が変更されたならば、ＩＳＯブラケット撮影時の基準となるＩＳＯ感度を変更する。
【０１９７】
ステップＳ６０６の実行後、ステップＳ６０８に進み、元の動作手順に戻る。
【０１９８】
図２１は、図１３のステップＳ３１７の詳しい内容を示す、マニュアルモード時に実行される撮影パラメータ決定処理の手順を示すフローチャートである。
【０１９９】
ステップＳ７０２で、図１２のステップＳ３０３で設定されたシャッタスピード（Ｔｖ値）を基に、図８を参照して、シャッタ制御モードを選択する。これを以下に詳しく説明する。
【０２００】
温度センサ１２７による温度測定結果が４５℃未満で、ステップＳ３０３で設定されたシャッタスピードが１／３０秒より高速側の場合、シャッタ制御モードを電子シャッタ制御モードに設定し、ステップＳ７０７に移行し、元の動作手順に戻る。
【０２０１】
また、温度センサ１２７の測定結果が４５℃未満で、ステップＳ３０３で設定されたシャッタスピードが１／３０秒より低速側の場合、シャッタ制御モードをメカニカルシャッタ制御モードに設定し、ステップＳ７０７に移行して元の動作手順に戻る。
【０２０２】
また、温度センサ１２７の測定結果が４５℃以上で、ステップＳ３０３で設定されたシャッタスピードが１／５００秒より低速側の場合、シャッタ制御モードをメカニカルシャッタ制御モードに設定し、ステップＳ７０７に移行し、元の動作手順に戻る。
【０２０３】
また、温度センサ１２７の測定結果が４５℃以上で、ステップＳ３０３で設定されたシャッタスピードが１／５００秒より高速側の場合、このまま撮影を続行すると撮影画像にノイズ、スミアなどの画像劣化が発生することになるので、ステップＳ７０３へ進んで、ブザー１２８から警報音を発生するか、外部液晶表示装置１４０等で点滅表示を行ってユーザに警告を与える。
【０２０４】
次のステップＳ７０４では、レリーズＳＷ（１）１１４ａがオンしているか否かを判別する。オンしていれば撮影者が撮影続行を選択したと判断し、ステップＳ７０７へ移行する。レリーズＳＷ（１）１１４ａがオフしていれば撮影者が撮影中断を選択したと判断し、撮影を中断する（Ｓ７０６）。
【０２０５】
ステップＳ７０５では、シャッタスピードが１／５００秒より低速側になるようにシャッタスピードの引き下げを行う。さらにシャッタスピード引き下げ量に応じてＩＳＯ感度の引き下げを行う。これは露出量をシャッタスピード変更前と同じ露出量にするためである。これにより、シャッタ制御モードをメカニカルシャッタ制御モードに設定できるようにする。かつ、絞り値の再算出を行う。また、ＬＣＤモニタ装置１２０に表示される表示内容を変更する。
【０２０６】
ＩＳＯ感度を引き下げ、かつメカニカルシャッタ制御モードを選択することで、ＩＳＯ感度が高くなることによるノイズ成分の増幅を抑え、かつＣＣＤ転送路のスミア成分を吐き出すことで、画像ノイズの少ない撮像を行うことができる。
【０２０７】
ＩＳＯブラケット撮影モードの場合、本ステップでＩＳＯ感度が変更されたならば、ＩＳＯブラケット撮影時の基準となるＩＳＯ感度を変更する。
【０２０８】
ステップＳ７０５の実行後、ステップＳ７０７に進み、元の動作手順に戻る。
【０２０９】
以上説明したようにして、本実施の形態に係る撮像装置では、撮像感度を変更することによって、撮像装置が高温である場合でも画質劣化の少ない画像を得ることが可能となる。
【０２１０】
〔他の実施の形態〕
なお、本発明の目的は、前述した実施の形態の機能を実現するソフトウェアのプログラムコードを記録した記憶媒体を、システムまたは装置に供給し、そのシステムまたは装置のコンピュータ（またはＣＰＵ、ＭＰＵ等）が記憶媒体に格納されたプログラムコードを読み出して実行することによっても達成される。
【０２１１】
この場合、記憶媒体から読み出されたプログラムコード自体が本発明の新規な機能を実現することになり、そのプログラムコードを記憶した記憶媒体およびプログラムは本発明を構成することになる。
【０２１２】
また、プログラムコードを供給するための記憶媒体としては、例えば、フレキシブルディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。
【０２１３】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施の形態の機能が実現される場合も含まれる。
【０２１４】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施の形態の機能が実現される場合も含まれる。
【図面の簡単な説明】
【０２１５】
【図１】本発明の一実施の形態における撮像装置の内部構成を示すブロック図である。
【図２】本撮像装置の構成を示す側断面図である。
【図３】本撮像装置の外観上面図である。
【図４】本撮像装置の外観背面図である。
【図５】メカニカルシャッタ制御モード時の撮影シーケンスを示す図である。
【図６】電子シャッタ制御モード時の撮影シーケンスを示す図である。
【図７】図６における電子シャッタ制御モード時のメカニカルシャッタ装置の制御シーケンスを示す図である。
【図８】本実施の形態に係る撮像装置において電子シャッタ制御モードとメカニカルシャッタ制御モードとが実行される領域をシャッタ秒時に沿って示す図である。
【図９】固体撮像素子１５近傍の温度が所定値以上の場合のＩＳＯブラケット撮影モード時における撮像感度の設定処理の手順を示すフローチャートである。
【図１０】ＣＰＵ３８で実行されるＩＳＯブラケット撮影のためのＩＳＯブラケット設定処理の手順を示すフローチャートである。
【図１１】外部液晶表示装置の各表示画面を示す図である。
【図１２】本実施の形態の撮像装置における動作手順を示すフローチャート（１／６）である。
【図１３】本実施の形態の撮像装置における動作手順を示すフローチャート（２／６）である。
【図１４】本実施の形態の撮像装置における動作手順を示すフローチャート（３／６）である。
【図１５】本実施の形態の撮像装置における動作手順を示すフローチャート（４／６）である。
【図１６】本実施の形態の撮像装置における動作手順を示すフローチャート（５／６）である。
【図１７】本実施の形態の撮像装置における動作手順を示すフローチャート（６／６）である。
【図１８】図１３のステップＳ３１１および図１５のステップＳ８０３の詳しい内容を示す、Ａｖ優先モード時に実行される撮影パラメータ決定処理の手順を示すフローチャートである。
【図１９】図１３のステップＳ３１３および図１５のステップＳ８０４の詳しい内容を示す、Ｔｖ優先モード時に実行される撮影パラメータ決定処理の手順を示すフローチャートである。
【図２０】図１３のステップＳ３１５および図１５のステップＳ８０５の詳しい内容を示す、プログラムモード時に実行される撮影パラメータ決定処理の手順を示すフローチャートである。
【図２１】図１３のステップＳ３１７の詳しい内容を示す、マニュアルモード時に実行される撮影パラメータ決定処理の手順を示すフローチャートである。
【符号の説明】
【０２１６】
１  撮像装置本体
２  撮影レンズ
３  結像レンズ
４  レンズ駆動装置
５  絞り羽根群
６  絞り駆動装置
７  メインミラー
８  フォーカシングスクリーン
９  光学部材（ペンタダハプリズム）
１０  接眼レンズ装置
１１  測光装置
１２  サブミラー
１３  焦点検出装置
１４  メカニカルシャッタ装置
１４ａ  先羽根群
１４ｂ  後羽根群
１５  固体撮像素子（撮像手段）
１６  電気基板
２０  アナログ信号処理回路
２２  Ａ／Ｄ変換器
２４  メイン信号処理回路（撮像感度設定手段）
２６  メモリ
２８  Ｄ／Ａ変換器
３２  圧縮／解凍回路
３４  メモリカード
３６  コントロール回路（撮像感度ブラケット撮影手段）
３８  ＣＰＵ（撮像感度制限手段、撮像感度ブラケット撮影手段、ブラケット幅設定手段、撮像感度変更手段）
４０  ゲイン調整回路
４２  オフセット回路
４６  ヒストグラム生成回路
４８  デジタル信号処理回路
５０  外部映像出力
１２７  温度センサ（温度測定手段）
１２０  ＬＣＤモニタ装置
【図１】
2005175961.tif 000003
【図２】
2005175961.tif 000004
【図３】
2005175961.tif 000005
【図４】
2005175961.tif 000006
【図５】
2005175961.tif 000007
【図６】
2005175961.tif 000008
【図７】
2005175961.tif 000009
【図８】
2005175961.tif 000010
【図９】
2005175961.tif 000011
【図１０】
2005175961.tif 000012
【図１１】
2005175961.tif 000013
【図１２】
2005175961.tif 000014
【図１３】
2005175961.tif 000015
【図１４】
2005175961.tif 000016
【図１５】
2005175961.tif 000017
【図１６】
2005175961.tif 000018
【図１７】
2005175961.tif 000019
【図１８】
2005175961.tif 000020
【図１９】
2005175961.tif 000021
【図２０】
2005175961.tif 000022
【図２１】
2005175961.tif 000023